(57)【要約】【課題】収納部からの紙幣のはみ出しを解消できる紙幣出金装置を提供する。【解決手段】紙幣出金装置本体には、紙幣Ｐを収納する収納部15を備えたカセット14を着脱可能に設ける。収納部15内の紙幣Ｐを紙幣出金装置本体内に繰り出す繰出方向、および収納部15からはみ出した紙幣Ｐを収納部15内に戻す反繰出方向に搬送可能とする繰出部19を設ける。収納部15からの紙幣Ｐのはみ出しを検知する残留検知部51を設ける。残留検知部51が収納部15からの紙幣Ｐのはみ出しを検知する場合、繰出部19を反繰出方向に搬送動作させ、はみ出している紙幣Ｐを収納部15内に戻す。【選択図】図１
2010280493.tif 000002
【特許請求の範囲】
【請求項１】
紙葉類処理装置本体と、
紙葉類を収納する収納部を有し、前記紙葉類処理装置本体に着脱可能なカセットと、
前記収納部内の紙葉類を前記紙葉類処理装置本体内に繰り出す繰出方向および前記収納部からはみ出した紙葉類を前記収納部内に戻す反繰出方向に搬送可能とする繰出部と、
前記収納部からの紙葉類のはみ出しを検知する残留検知部と、
前記残留検知部が前記収納部からの紙葉類のはみ出しを検知する場合に、前記繰出部を反繰出方向に搬送動作させる制御部と
を具備していることを特徴とする紙葉類処理装置。
【請求項２】
前記制御部は、前記繰出部を反繰出方向に搬送動作させても、前記残留検知部が前記収納部からの紙葉類のはみ出しを検知する場合には、前記繰出部を繰出方向と反繰出方向とに交互に繰り返し搬送動作させる
ことを特徴とする請求項１に記載の紙葉類処理装置。
【請求項３】
前記カセットは、前記紙葉類処理装置本体内に繰り出された紙葉類のうち、前記紙葉類処理装置本体側から処理不可として送り込まれる紙葉類を収納するリジェクト部を有し、
前記制御部は、前記繰出部を反繰出方向に搬送動作させても、前記残留検知部が前記収納部からの紙葉類のはみ出しを検知する場合には、前記繰出部ではみ出している紙葉類を前記紙葉類処理装置本体内に繰り出すとともに前記紙葉類処理装置本体側から前記リジェクト部に送り込んで収納させる
ことを特徴とする請求項１または２に記載の紙葉類処理装置。
【請求項４】
紙葉類処理装置本体と、
紙葉類を収納する収納部を有し、前記紙葉類処理装置本体に着脱可能なカセットと、
前記収納部内の紙葉類を前記紙葉類処理装置本体内に繰り出す繰出部と、
前記カセットに設けられ、前記紙葉類処理装置本体内に繰り出された紙葉類のうち、前記紙葉類処理装置本体側から処理不可として送り込まれる紙葉類を収納するリジェクト部と、
前記収納部からの紙葉類のはみ出しを検知する残留検知部と、
前記カセットを前記紙葉類処理装置本体から抜き取る場合に操作する抜取操作部と、
この抜取操作部が操作されたとき、前記残留検知部が前記収納部からの紙葉類のはみ出しを検知する場合に、その紙葉類のはみ出しを前記残留検知部が検知しなくなるまで前記繰出部で紙葉類を前記紙葉類処理装置本体内に繰り出すとともに前記紙葉類処理装置本体側から前記リジェクト部に送り込んで収納させる制御部と
を具備していることを特徴とする紙葉類処理装置。
【発明の詳細な説明】
【技術分野】
【０００１】
本発明は、紙葉類を処理する紙葉類処理装置に関する。
【背景技術】
【０００２】
従来、紙葉類処理装置としては、紙葉類として紙幣を出金する紙幣出金装置などがある。
【０００３】
この紙幣出金装置では、紙幣出金装置本体内の収納部に複数枚の紙幣を集積収納しておき、出金時において、繰出部により収納部内の紙幣を１枚ずつ順に繰り出し、繰り出した紙幣を出金部へ向けて搬送し、出金するようにしている（例えば、特許文献１参照。）。
【０００４】
繰出部は、収納部内の紙幣を繰り出す繰出ベルト、この繰出ベルトによって繰り出される紙幣につられて収納部内から引き出されてしまう他の紙幣が一緒に繰り出されないように規制する逆転ローラなどを備えているのが一般的である。
【先行技術文献】
【特許文献】
【０００５】
【特許文献１】特開２００３−１１５０７３号公報（第３頁、図１）
【発明の概要】
【発明が解決しようとする課題】
【０００６】
ところで、繰出部により収納部内の紙幣を繰り出す際、繰出ベルトで繰り出される紙幣につられて他の紙幣が収納部内から引き出された場合、その引き出された紙幣が繰り出されるのを逆転ローラで規制することはできるが、その紙幣は収納部内から引き出された状態つまり収納部からはみ出したままの状態となる。
【０００７】
また、収納部については、紙幣出金装置本体の一部ではなく、現金運搬を委託された現金輸送業者である警備輸送（警送）業者が扱えるように、紙幣出金装置本体に対して着脱可能なカセット化することが考えられる。しかしながら、カセット化した場合、上述のように紙幣が収納部からはみ出したままの状態にあると、紙幣出金装置本体からカセットを抜き取った場合、収納部からはみ出ている紙幣が不必要に抜き取られるおそれがある。
【０００８】
また、収納部にシャッタを設け、カセット抜き取り時には収納部のシャッタが自動的に閉じるようにしても、シャッタに挟まれた状態で紙幣が収納部からはみ出すため、紙幣が不必要に抜き取られたり、また、紙幣が抜き取られなくても、シャッタに挟まった紙幣が破損するおそれがある。
【０００９】
本発明は、このような点に鑑みなされたもので、収納部からの紙葉類のはみ出しを解消できる紙葉類処理装置を提供することを目的とする。
【課題を解決するための手段】
【００１０】
請求項１に記載の紙葉類処理装置は、紙葉類処理装置本体と、紙葉類を収納する収納部を有し、前記紙葉類処理装置本体に着脱可能なカセットと、前記収納部内の紙葉類を前記紙葉類処理装置本体内に繰り出す繰出方向および前記収納部からはみ出した紙葉類を前記収納部内に戻す反繰出方向に搬送可能とする繰出部と、前記収納部からの紙葉類のはみ出しを検知する残留検知部と、前記残留検知部が前記収納部からの紙葉類のはみ出しを検知する場合に、前記繰出部を反繰出方向に搬送動作させる制御部とを具備しているものである。
【００１１】
請求項２に記載の紙葉類処理装置は、請求項１に記載の紙葉類処理装置において、前記制御部は、前記繰出部を反繰出方向に搬送動作させても、前記残留検知部が前記収納部からの紙葉類のはみ出しを検知する場合には、前記繰出部を繰出方向と反繰出方向とに交互に繰り返し搬送動作させるものである。
【００１２】
請求項３に記載の紙葉類処理装置は、請求項１または２に記載の紙葉類処理装置において、前記カセットは、前記紙葉類処理装置本体内に繰り出された紙葉類のうち、前記紙葉類処理装置本体側から処理不可として送り込まれる紙葉類を収納するリジェクト部を有し、前記制御部は、前記繰出部を反繰出方向に搬送動作させても、前記残留検知部が前記収納部からの紙葉類のはみ出しを検知する場合には、前記繰出部ではみ出している紙葉類を前記紙葉類処理装置本体内に繰り出すとともに前記紙葉類処理装置本体側から前記リジェクト部に送り込んで収納させるものである。
【００１３】
請求項４に記載の紙葉類処理装置は、紙葉類処理装置本体と、紙葉類を収納する収納部を有し、前記紙葉類処理装置本体に着脱可能なカセットと、前記収納部内の紙葉類を前記紙葉類処理装置本体内に繰り出す繰出部と、前記カセットに設けられ、前記紙葉類処理装置本体内に繰り出された紙葉類のうち、前記紙葉類処理装置本体側から処理不可として送り込まれる紙葉類を収納するリジェクト部と、前記収納部からの紙葉類のはみ出しを検知する残留検知部と、前記カセットを前記紙葉類処理装置本体から抜き取る場合に操作する抜取操作部と、この抜取操作部が操作されたとき、前記残留検知部が前記収納部からの紙葉類のはみ出しを検知する場合に、その紙葉類のはみ出しを前記残留検知部が検知しなくなるまで前記繰出部で紙葉類を前記紙葉類処理装置本体内に繰り出すとともに前記紙葉類処理装置本体側から前記リジェクト部に送り込んで収納させる制御部とを具備しているものである。
【発明の効果】
【００１４】
請求項１に記載の紙葉類処理装置によれば、収納部から紙葉類がはみ出している場合には、繰出部を反繰出方向に搬送動作させることにより、はみ出している紙葉類を収納部内に戻すことができる。
【００１５】
請求項２に記載の紙葉類処理装置によれば、請求項１に記載の紙葉類処理装置の効果に加えて、繰出部を反繰出方向に搬送動作させても、収納部から紙葉類がはみ出している場合には、繰出部を繰出方向と反繰出方向とに交互に繰り返し搬送動作させることにより、紙葉類のはみ出しを解消しやすくできる。
【００１６】
請求項３に記載の紙葉類処理装置によれば、請求項１または２に記載の紙葉類処理装置の効果に加えて、繰出部を反繰出方向に搬送動作させても、収納部から紙葉類がはみ出しているには、繰出部ではみ出している紙葉類を紙葉類処理装置本体内に繰り出すとともに紙葉類処理装置本体側からリジェクト部に送り込んで収納させることにより、紙葉類のはみ出しを解消することができる。
【００１７】
請求項４に記載の紙葉類処理装置によれば、抜取操作部が操作されたとき、収納部からの紙葉類のはみ出しを検知する場合には、その紙葉類のはみ出しを検知しなくなるまで、繰出部で紙葉類を紙葉類処理装置本体内に繰り出すとともに紙葉類処理装置本体側からリジェクト部に送り込んで収納させることにより、紙葉類のはみ出しを解消し、カセットを抜き取ることができる。
【図面の簡単な説明】
【００１８】
【図１】本発明の第１の実施の形態を示す紙葉類処理装置としての紙幣出金装置の繰出部の断面図である。
【図２】同上紙幣出金装置の全体の構成図である。
【図３】同上紙幣出金装置のカセットを示し、(a)はシャッタ閉鎖状態のカセットの斜視図、(b)はシャッタ開放状態のカセットの斜視図である。
【図４】同上紙幣出金装置のロック機構の斜視図である。
【図５】同上紙幣出金装置のブロック図である。
【図６】同上紙幣出金装置の紙幣はみ出し解除のフローチャートである。
【図７】本発明の第２の実施の形態を示す紙葉類処理装置としての紙幣出金装置の繰出部の断面図である。
【発明を実施するための形態】
【００１９】
以下、本発明の実施の形態を、図面を参照して説明する。
【００２０】
図１ないし図６に第１の実施の形態を示す。
【００２１】
図２に、紙葉類処理装置として、紙葉類としての紙幣Ｐを出金する紙幣出金装置11を示す。この紙幣出金装置11は、例えばコンビニエンスストアやパチンコ店に設置される現金出金機などに搭載される。
【００２２】
紙幣出金装置11は、紙葉類処理装置本体としての紙幣出金装置本体12を有し、この紙幣出金装置本体12の前面上部に、出金する紙幣Ｐを払い出す紙葉類投出部としての出金部である出金口13が配設されている。
【００２３】
出金口13の位置より下側であって、紙幣出金装置本体12の下部には、紙幣出金装置本体12の前面に向けて開口するカセット装填部12aが形成され、このカセット装填部12aにカセット14が紙幣出金装置本体12の前面から奥行方向（前後方向）に着脱可能に挿入されて配置されている。カセット装填部12a内の奥側には、カセット14が装填されていることを検知するカセット装填検知部12bが配置されている。
【００２４】
カセット14には、下部に出金用の紙幣Ｐを集積収納する収納部15が設けられているとともに、上部にリジェクト紙葉類としてのリジェクト紙幣を収納するリジェクト部16が設けられている。
【００２５】
収納部15では、紙幣出金装置本体12の前面から見て奥行方向に紙幣Ｐの面が対向する向きとするとともに、紙幣Ｐの長手方向を上下方向の向きとし（言い換えれば、紙幣Ｐの短手方向を左右方向である紙幣出金装置本体12の幅方向とし）、その奥行方向に沿って複数枚の紙幣Ｐを集積収納する。収納部15内には、収納部15内を奥行方向に移動可能で収納部15に集積収納した紙幣Ｐの前面側を押えるステージ17、およびこのステージ17を介して紙幣Ｐを奥行方向へ向けて付勢する例えば圧縮ばねや引っ張りばねなどの付勢部材18が配置されている。
【００２６】
カセット14の側面には側板14a（図３参照）が開閉可能に設けられている。カセット14を紙幣出金装置本体12から取り出した状態で、カセット14の側板14aを開くことにより、収納部15およびリジェクト部16が開放され、収納部15への紙幣Ｐの装填、リジェクト部16からの紙幣Ｐの回収が可能となっている。
【００２７】
また、紙幣出金装置本体12内には、カセット14の位置の奥側にこのカセット14の収納部15内の紙幣Ｐを出金口13へ向けた繰出方向である上方へ向けて１枚ずつ繰り出す繰出部19が配置されているとともに、この繰出部19で繰り出された紙幣Ｐを出金口13へ向けて搬送する搬送部20が配置されている。この搬送部20には搬送する紙幣Ｐを識別する識別部21が配置されている。
【００２８】
搬送部20と出金口13との間には、識別部21で識別した紙幣Ｐを集積して一時保留する一時保留部22が配置されている。この一時保留部22では、一時保留した１回の出金分の紙幣Ｐが識別部21で投出可（正規）と識別されている場合、一時保留した紙幣Ｐを一括して出金口13に払い出し、また、一時保留した紙幣Ｐに識別部21で投出不可（識別不能や金種異常など）と識別された紙幣Ｐが含まれている場合、一時保留した紙幣Ｐを出金口13の下側のリジェクト搬送部23へ送り込む。
【００２９】
リジェクト搬送部23は、一時保留部22から送り込まれる紙幣をカセット14のリジェクト部16に搬送して収納させる。
【００３０】
また、繰出部19、搬送部20、一時保留部22、リジェクト搬送部23は、搬送モータ24の駆動によって所定の搬送方向に紙幣Ｐを搬送する。繰出部19のみは、搬送モータ24の駆動によって収納部15内の紙幣Ｐを上方の繰出方向に繰り出すのに対して、紙幣Ｐを下方の反繰出方向に戻すための逆転モータ25を備え、さらに、繰出部19に対する搬送モータ24と逆転モータ25との駆動伝達を切り換えることによって紙幣Ｐの繰出動作と戻し動作とを切り換えるための図示しないクラッチを備えている。
【００３１】
また、紙幣出金装置本体12の前面には、カセット14を紙幣出金装置本体12から取り出す際に操作する抜取操作部としての回収スイッチ26が配置されている。
【００３２】
また、紙幣出金装置本体12の前面でカセット装填部12aの側部位置には、紙幣出金装置本体12に挿入されたカセット14を施錠する錠前27が配置されている。この錠前27は、電気的に動作するロック機構28を備え、このロック機構28のロック解除後に、現金運搬を委託された現金輸送業者である警備輸送（警送）業者が持つ回収キー29によって解錠され、カセット14の取り出しを許容する。
【００３３】
次に、図３に示すように、カセット14の収納部15の奥側には、リジェクト部16よりも奥行方向に長く突出する突出部31が設けられている。この突出部31の角部の上面および奥面（後面）に収納部15内の紙幣Ｐを繰り出すための繰出口32が形成され、この繰出口32の上面および奥面を開閉するシャッタ33，34がそれぞれ開閉移動可能に配置されている。上面のシャッタ33は奥行方向に移動して開閉し、奥面のシャッタ34は上下方向に移動して開閉するもので、これらシャッタ33，34がシャッタ開閉機構35によって連動して開閉される。
【００３４】
シャッタ開閉機構35は、支点36を中心として揺動するレバー37の一端が上面のシャッタ33に連結され、支点38を中心として揺動するレバー39の一端が奥面のシャッタ34に連結され、これらレバー37，39同士が連動して回動するように連結されている。レバー39はカセット14に対して奥行方向にスライド可能とするスライド部材40に連結されている。
【００３５】
そして、図３(a)に示すように、カセット14が紙幣出金装置本体12から抜き外された状態では、スライド部材40が図示しないスプリングの付勢によってカセット14の奥行方向に移動し、レバー37，39を介してシャッタ33，34が閉鎖し、この閉鎖状態で図示しないロック機構でロックしている。また、図３(b)に示すように、カセット14を紙幣出金装置本体12内の前面から奥行方向に装填することにより、まず図示しないロック機構によるロックが自動的に解除された後、スライド部材40が紙幣出金装置本体12側に配置された図示しない開放部材に当接して移動が規制されることより、スライド部材40がカセット14に対して相対的に前側に移動し、レバー37，39を介してシャッタ33，34が開放する。
【００３６】
次に、図１に示すように、繰出部19は、収納部15の繰出口32の奥面に対向する位置に配置される繰出ベルト43、収納部15の繰出口32の上面に対向する位置に配置される逆転ローラ44を備えている。
【００３７】
繰出ベルト43は、回転可能な複数のローラ45に掛け回されており、カセット14が紙幣出金装置本体12内に装填されることによって、ベルト面が収納部15内の最も奥側に位置する紙幣Ｐの面に接触する。そして、繰出ベルト43は、図示しないクラッチを介して搬送モータ24の駆動を繰出ベルト43に伝達することより、図１反時計回り方向に回転し、ベルト面に接触する紙幣Ｐを収納部15の繰出口32から上方へ引き上げて搬送部20へ繰り出す。また、繰出ベルト43は、図示しないクラッチを介して逆転モータ25の駆動を繰出ベルト43に伝達することにより、図１時計回り方向に回転し、ベルト面に接する紙幣Ｐを反繰出方向である下方へ向けて移動させて収納部15内に戻すように作用する。
【００３８】
逆転ローラ44は、対向する搬送ベルト43のベルト面の回転方向に対して周面が逆方向に回転し、繰出ベルト43で繰り出す１枚の紙幣Ｐにつられて繰出口32から引き上げられる２枚目以降の紙幣Ｐが繰り出されるのを規制し、紙幣Ｐが１枚ずつ繰り出されるようにしている。
【００３９】
また、繰出部19の繰出ベルト43と逆転ローラ44との間の上方には、繰出部19から上方へ繰り出された紙幣Ｐを挟み込んで搬送する搬送部20の一対の搬送ベルト48が配置されている。
【００４０】
また、繰出部19には、収納部15の繰出口32からはみ出した紙幣Ｐを検知する残留検知部51、繰出部19から搬送部20へ紙幣Ｐを繰り出したのを確認する通過検知部52が配置されている。これら検知部51，52は、センサ光を投受光する光センサで構成され、紙幣Ｐが通過する間、センサ光が遮光される。
【００４１】
次に、図４に示すように、ロック機構28は、カセット装填部12a内に対して進退可能で進出時にカセット14に係合してロックするロック軸56を有し、このロック軸56が紙幣出金装置本体12の内壁面に取り付けられたロック軸支持板57によってスライド可能に支持されている。ロック軸56には一体にスライドするリンク板58が固定され、このリンク板58にはロック軸56の端面との間に間をあけて対向する作動部59が形成されている。ロック軸56の端面と作動部59との間には、錠前27の後端に取り付けられたレバー60が配置されている。そして、回収キー29の操作で錠前27のレバー60が揺動し、レバー60が作動部45を押動すればロック軸56およびリンク板58をロック解除方向に移動させるとともに、レバー60がロック軸56の端面を押動すればロック軸56およびリンク板58をロック方向に移動させることが可能となっている。紙幣出金装置本体12の内壁面にはブラケット61が取り付けられ、このブラケット61には、支軸62によってロック板63が揺動可能に取り付けられているとともに、このロック板63の一端にプランジャが連結されたソレノイド64が取り付けられている。ロック板63の他端は、揺動により、ロック位置にあるリンク板58と係合する位置と係合しない位置とに移動する。
【００４２】
そして、カセット14のロック状態では、ロック軸56およびリンク板58がロック位置に移動していてロック軸56がカセット14に係合してロックしており、ソレノイド64のオフ状態にあって、ロック板63がリンク板58に係合してロック解除方向への移動を規制している。そのため、回収キー29で錠前27を操作し、レバー60でリンク板58の作動部59を押しても、リンク板58はロック解除方向へ移動せず、ロック軸56によるカセット14のロックは解除されない。一方、ソレノイド64がオン動作し、ロック板63が揺動してリンク板58から外れると、回収キー29で錠前27を操作し、レバー60でリンク板58の作動部59を押せば、リンク板58とともにロック軸56がロック解除方向に移動してカセット14から外れ、カセット14のロックを解除する。
【００４３】
また、ロック機構28には、ソレノイド64のオン動作でロック板63がロック解除位置に揺動したことを検知することにより、ロック機構28のロック解除を検知するロック状態検知部65が配置されている。
【００４４】
次に、図５に示すように、紙幣出金装置11は、この紙幣出金装置11を制御する制御部68を備えている。この制御部68に、繰出部19、搬送部20、一時保留部22、およびロック機構28の各電気機器が接続されているとともに、回収スイッチ26などが接続されている。
【００４５】
繰出部19には、残留検知部51および通過検知部52などのセンサ、クラッチ、および逆転モータ25などが含まれている。
【００４６】
搬送部20には、識別部21などのセンサ、搬送モータ24などが含まれている。
【００４７】
一時保留部22には、紙幣Ｐを検知するセンサ、一時保留した紙幣Ｐの払い出し方向を出金口13側とリジェクト搬送部23側とで切り換えるソレノイドなどが含まれている。
【００４８】
ロック機構28には、ロック状態検知部65などのセンサ、ソレノイド64などが含まれている。
【００４９】
そして、制御部68は、回収スイッチ26が操作された際に、残留検知部51が収納部15からの紙幣Ｐのはみ出しを検知している場合、はみ出し解除動作を実行するものであって、繰出部19を反繰出方向に搬送動作させる機能を有している。さらに、繰出部19を反繰出方向に搬送動作させても、残留検知部51が収納部15からの紙幣Ｐのはみ出しを検知する場合には、繰出部19を繰出方向と反繰出方向とに交互に繰り返し搬送動作させる機能を備えている。さらに、繰出部19を反繰出方向に搬送動作させても、残留検知部51が収納部15からの紙幣Ｐのはみ出しを検知する場合には、繰出部19ではみ出している紙幣Ｐを紙幣出金装置本体12内に繰り出すとともに紙幣出金装置本体12側からリジェクト部16に送り込んで収納させる機能を有している。
【００５０】
さらに、制御部68は、錠前27のロック機構28を制御し、回収スイッチ26が操作された後、一連のはみ出し解除動作が完了するまで、回収キー29による錠前27の解錠ができないようにする機能を有している。
【００５１】
次に、紙幣出金装置11の動作を説明する。
【００５２】
まず、紙幣出金動作について説明する。
【００５３】
現金出金機側から紙幣出金装置11に出金が指令されると、搬送モータ24を駆動し、この搬送モータ24に繰出部19のクラッチを接続して繰出ベルト43を繰出方向に回転させ、繰出ベルト43に接する収納部15内の最も奥側の１枚目の紙幣Ｐを収納部15の繰出口32から上方へ引き上げて搬送部20へ繰り出す。繰出ベルト43で繰り出す１枚目の紙幣Ｐにつられて収納部15の繰出口32から引き上げられる奥側から２枚目以降の紙幣Ｐが繰り出されるのを逆転ローラ44によって規制する。したがって、繰出部19から搬送部20へ紙幣Ｐを１枚ずつ繰り出す。そして、出金する最後の紙幣Ｐを通過検知部52で検知し、その紙幣Ｐを搬送部20へ繰り出したことを確認すると、繰出部19のクラッチを搬送モータ24から切り離すとともに停止している逆転モータ25に接続し、収納部15内からの紙幣Ｐの繰り出しを停止する。
【００５４】
繰出部19で繰り出した紙幣Ｐを搬送部20で搬送し、その紙幣Ｐを識別部21で識別した後、一時保留部22に一時保留する。
【００５５】
識別部21で投出可と識別された１回の出金分の紙幣Ｐが一時保留部22に一時保留されると、一時保留部22内の紙幣Ｐを一括して出金口13に払い出す。
【００５６】
識別部21である紙幣Ｐが投出不可と識別された場合には、その紙幣Ｐを一時保留部22に搬送し、一時保留部22から下側のリジェクト搬送部23へ送り込み、リジェクト搬送部23からカセット14のリジェクト部16に送り込んで回収する。リジェクトしたために、出金に不足する紙幣Ｐは、繰出部19で再度繰り出す。
【００５７】
次に、警送業者により、紙幣出金装置11内に装填されているカセット14を取り出して回収し、警送業者が持参した紙幣入りのカセット14に入れ替える作業について説明する。
【００５８】
カセット14を取り出して回収する場合には、まず、警送業者が回収スイッチ26を押す。なお、この時点では、錠前27のロック機構28はロック状態にあり、回収キー29で錠前27を操作してもカセット14の取り出しはできない。
【００５９】
そして、回収スイッチ26を押すと、制御部68は図６のフローチャートに示す制御を実行する。
【００６０】
すなわち、残留検知部51が、収納部15の繰出口32からの紙幣Ｐのはみ出しを検知しているか確認する（ステップ１）。
【００６１】
残留検知部51が、収納部15の繰出口32からの紙幣Ｐのはみ出しを検知していなければ（ステップ１のＮＯ）、はみ出し解消動作は行わない。この場合には、錠前27のロック機構28のソレノイド64をオン動作してロック解除するため、警送業者が持つ回収キー29によって錠前27が解錠操作し、カセット14を取り出して回収できる。カセット14を紙幣出金装置本体12から取り出す際、シャッタ33，34を自動的に閉じてロックする。取り出されたカセット14の収納部15の繰出口32はシャッタ33，34で閉鎖され、シャッタ33，34間から紙幣Ｐがはみ出していたり挟まっているようなこともない。
【００６２】
また、上述したように、繰出部19による紙幣繰出時に、繰出ベルト43で繰り出す１枚目の紙幣Ｐにつられて収納部15の繰出口32から２枚目以降の紙幣Ｐが引き上げられ、繰出動作停止後も、２枚目以降の紙幣Ｐが収納部15の繰出口32からはみ出している場合には、残留検知部51が、収納部15の繰出口32からの紙幣Ｐのはみ出しを検知しているため（ステップ１のＹＥＳ）、はみ出し解消動作を実行する。
【００６３】
はみ出し解消動作では、まず、繰出部19のクラッチを逆転モータ25に接続し、逆転モータ25を駆動して繰出ベルト43を反繰出方向に回転させる（ステップ２）。これにより、繰出ベルト43に接する１枚目の紙幣Ｐ、およびこの１枚目の紙幣Ｐにつられて２枚目以降の紙幣Ｐが収納部15内に引き戻される。
【００６４】
所定の時間内に、残留検知部51が収納部15の繰出口32からの紙幣Ｐのはみ出しを検知しなくなれば（ステップ３のＮＯ）、はみ出し解消動作を完了し、上述のようにカセット14を取り出して回収可能となる。
【００６５】
所定時間を経過しても、残留検知部51が収納部15の繰出口32からの紙幣Ｐのはみ出しを検知していれば（ステップ３のＹＥＳ）、リトライ処理を実行する。
【００６６】
リトライ処理では、リトライ回数が所定回数以下であれば（ステップ４のＹＥＳ）、繰出部19のクラッチを逆転モータ25から切り離すとともに搬送モータ24に接続し、搬送モータ24を駆動して繰出ベルト43を繰出方向に回転させる（ステップ５）。これにより、繰出ベルト43に接する１枚目の紙幣Ｐが収納部15の繰出口32から大きく引き出される。
【００６７】
この大きく引き出された紙幣Ｐを通過検知部52が検知したら（ステップ６のＹＥＳ）、繰出部19のクラッチを搬送モータ24から切り離すとともに逆転モータ25に接続し、繰出ベルト43を反繰出方向に回転させる。これにより、繰出ベルト43に接していて大きく引き出された１枚目の紙幣Ｐが収納部15内に大きく引き戻されるとともに、この１枚目の紙幣Ｐが大きく引き戻されるのにつられて２枚目以降の紙幣Ｐが収納部15内に引き戻される。
【００６８】
ここで、所定の時間内に、残留検知部51が収納部15の繰出口32からの紙幣Ｐのはみ出しを検知しなくなれば、はみ出し解消動作を完了し、上述のようにカセット14を取り出して回収可能となる。
【００６９】
所定時間を経過しても、残留検知部51が収納部15の繰出口32からの紙幣Ｐのはみ出しを検知していれば、再度、リトライ処理を実行する。
【００７０】
そして、リトライ処理を繰り返しても、残留検知部51が収納部15の繰出口32からの紙幣Ｐのはみ出しを検知したままで、リトライ処理が所定回数に達した場合には（ステップ４のＮＯ）、繰出部19のクラッチを逆転モータ25から切り離すとともに搬送モータ24に接続し、搬送モータ24を駆動して繰出ベルト43を繰出方向に回転させることにより、１枚の紙幣Ｐを繰出部19から搬送部20へ繰り出し、搬送部20、一時保留部22およびリジェクト搬送部23を通じて、カセット14のリジェクト部16に収納させる（ステップ７）。
【００７１】
その後、残留検知部51が収納部15の繰出口32からの紙幣Ｐのはみ出しを検知しているか確認し、検知しなくなれば、はみ出し解消動作を完了し、上述のようにロック機構28のロック解除後に錠前27を解錠し、カセット14を取り出して回収可能となる。また、引き続き検知していれば、再度、はみ出し解消動作を実行する。
【００７２】
このように、収納部15から紙幣Ｐがはみ出している場合には、繰出部19を反繰出方向に搬送動作させることにより、はみ出している紙幣Ｐを収納部内に戻すことができる。
【００７３】
さらに、繰出部19を反繰出方向に搬送動作させても、収納部15から紙幣Ｐがはみ出している場合には、繰出部19を繰出方向と反繰出方向とに交互に繰り返し搬送動作させることにより、紙幣Ｐのはみ出しを解消しやすくできる。
【００７４】
さらに、繰出部19を反繰出方向に搬送動作させても、収納部15から紙幣Ｐがはみ出しているには、繰出部19ではみ出している紙幣Ｐを紙幣出金装置本体12内に繰り出すとともに紙幣出金装置本体12側からカセット14のリジェクト部16に送り込んで収納させることにより、紙幣Ｐのはみ出しを解消することができる。
【００７５】
また、紙幣出金装置11内に装填されていたカセット14を取り出した後、警送業者が持参した紙幣入りのカセット14に入れ替える。
【００７６】
新たに装填されたカセット14の収納部15から最初に繰り出す紙幣Ｐは、収納不良などの影響で、紙幣Ｐが収納部15から繰り出されなかったり、紙幣Ｐが搬送部20などで詰まるなどの異常が発生しやすく、カセット14の装填が完了した警送業者が帰った後に、異常が発生すれば、現金出金機の運用を停止しなければならない。
【００７７】
そこで、警送業者が持参した紙幣入りのカセット14に入れ替え、このカセット14の装填をカセット装填検知部12bで検知するとともに、ロック機構28のロックをロック状態検知部65で検知したら、警送業者がいる間に、繰出部19によって、例えば２〜３枚程度の数枚の紙幣Ｐを収納部15内から搬送部20へ繰り出し、紙幣Ｐを正常に繰り出せるか確認する。
【００７８】
正常であれば、繰出部19によって繰り出された紙幣Ｐを、搬送部20、一時保留部22およびリジェクト搬送部23を通じて、カセット14のリジェクト部16に収納する。
【００７９】
一方、紙幣Ｐの収納不良などの影響で、紙幣Ｐが収納部15から繰り出されなかったり、紙幣Ｐが搬送部20などで詰まるなどの異常が発生した場合には、動作を停止し、異常が発生したことを報知する。この場合には、その場にいる警送業者によって異常を解消でき、警送業者が帰った後に現金出金機の運用を停止しなくてすむ。
【００８０】
また、搬送途中での紙幣詰まりなどが発生して紙幣出金装置11が異常停止した場合、カセット14を取り出して紙幣詰まりを解消することがある。
【００８１】
この場合、通過検知部52の検知によって搬送中の紙幣Ｐの枚数は確認できるが、収納部15の繰出口32からはみ出している紙幣Ｐがあると、取り出されたカセット14からはみ出している紙幣Ｐが不正に抜き取られても確認することができない。
【００８２】
そこで、搬送途中で紙幣詰まりなどが発生して紙幣出金装置11が異常停止した場合にも、残留検知部51で紙幣Ｐがはみ出していることを検知していれば、上述のように、はみ出し解消動作を実施する。ただし、はみ出し解消動作のうち、リトライ処理を実行すると、紙幣Ｐの詰まりがさらにひどくなる可能性があるので、リトライ処理は実行しない。
【００８３】
なお、制御部68は、回収スイッチ26が操作された際に、残留検知部51が収納部15からの紙幣Ｐのはみ出しを検知している場合、はみ出し解除動作を実行するものであって、繰出部19を反繰出方向に搬送動作させる機能を有していたが、これに代えて、回収スイッチ26が操作された際に、残留検知部51が収納部15からの紙幣Ｐのはみ出しを検知する場合、その紙幣Ｐのはみ出しを残留検知部51が検知しなくなるまで、繰出部19で紙幣Ｐを紙幣処理装置本体12内に繰り出すとともに紙幣処理装置本体12側からリジェクト部16に送り込んで収納させる機能を有していてもよい。
【００８４】
これは、はみ出した紙幣Ｐが収納部15に戻されるかリジェクト部16に収納されるかの違いで、カセット14内によって取り出すことには変わりがなく、はみ出している紙幣Ｐが収納部15内にうまく戻らずにはみ出し解除動作を繰り返す場合に比べて、カセット14を早く取り出すことが可能となることがある。
【００８５】
この回収スイッチ26が操作された際に、残留検知部51が収納部15からの紙幣Ｐのはみ出しを検知している場合には、紙幣Ｐのはみ出しを残留検知部51が検知しなくなるまでロック機構28のロック状態を維持している。これにより、はみ出し解除動作の実行中にカセット14が取り出されるのを確実に防止できる。紙幣Ｐのはみ出しを残留検知部51が検知しなくなれば、ロック機構28によるロックを解除し、錠前27を解錠してカセット14を取り出すことができる。ロック機構28によるロックを解除して錠前27の解錠が可能となったら、その旨を表示や音で報知するようにしてもよい。
【００８６】
次に、図７に第２の実施の形態を示す。
【００８７】
繰出口32に、繰出ベルト43で繰り出す１枚の紙幣Ｐにつられて繰出口32から引き上げられる２枚目以降の紙幣Ｐが接触して繰り出されるのを規制する紙幣ガイド71が配置されている。この紙幣ガイド71は、薄板状の弾性体で、例えばポリスライダー（登録商標）などの樹脂材料にて形成され、カセット14またはシャッタ33に取り付けられている。紙幣ガイド71の先端の中央域は繰出ベルト43の表面から離反するように切り欠かれ、先端の両側部域は繰出ベルト43の幅方向側方域に配置されるように突出されている。
【００８８】
そして、繰出部19の繰出ベルト43の繰出方向への回転により、繰出ベルト43に接する収納部15内の最も奥側の１枚目の紙幣Ｐを収納部15の繰出口32から上方へ引き上げて搬送部20へ繰り出す際、繰出ベルト43で繰り出す１枚目の紙幣Ｐにつられて奥側から２枚目以降の紙幣Ｐが収納部15の繰出口32から引き上げられても、その奥側から２枚目以降の紙幣Ｐの両側部域が紙幣ガイド71の先端の両側部域に接触してその摩擦によって一緒に繰り出されるのが規制される。また、紙幣ガイド71によって規制できずに、その奥側から２枚目以降の紙幣Ｐが紙幣ガイド71をすり抜けても、その紙幣ガイド71をすり抜けた奥側から２枚目以降の紙幣Ｐが逆転ローラ44に接触して一緒に繰り出されるのが規制される。さらに、逆転ローラ44で規制された紙幣Ｐが、逆転ローラ44の下側に折れ曲がろうとしても、紙幣ガイド71によって折れ曲がるのを防止できる。
【００８９】
このように紙幣ガイド71と逆転ローラ44との二段階で、繰出ベルト43で繰り出す１枚目の紙幣Ｐにつられて奥側から２枚目以降の紙幣Ｐが収納部15の繰出口32から繰り出されるのをより確実に防止できる。
【００９０】
また、紙幣ガイド71は、繰出ベルト43と接触しないように先端形状を形成しているので、繰出ベルト43が逆転しても影響がない。なお、接触していると、繰出ベルト43が逆転した場合、紙幣ガイド71の先端が下方へ巻き込まれ、正常に機能しなくなる。
【００９１】
以上のように、本発明は、シャッタ付きのカセット14で、しかもリジェクト部16が一体になっているカセット14を用いる紙幣処理装置11において、特に有効である。
【００９２】
なお、紙葉類としては、紙幣に限らず、例えば、チケット、カードなどでもよい。
【符号の説明】
【００９３】
11    紙葉類処理装置としての紙幣出金装置
12    紙葉類処理装置本体としての紙幣出金装置本体
14    カセット
15    収納部
16    リジェクト部
19    繰出部
26    抜取操作部としての回収スイッチ
51    残留検知部
68    制御部
Ｐ    紙葉類としての紙幣
【図１】
2010280493.tif 000003
【図２】
2010280493.tif 000004
【図３】
2010280493.tif 000005
【図４】
2010280493.tif 000006
【図５】
2010280493.tif 000007
【図６】
2010280493.tif 000008
【図７】
2010280493.tif 000009